(57)【特許請求の範囲】
【請求項１】
コンテナー本体と上下方向に位置が調整可能な中蓋とを有するコンテナーにおいて、コンテナー本体の相対する側壁には、それぞれ、所定の間隔を置いて一対の縦長スリットが形成されているとともに、前記縦長スリットが、前記側壁の外壁面に形成された縦長ケースにより覆われるように構成されており、また、前記縦長ケースを構成する天板と底板との間には、係止孔を有する複数の係止板が、所定の間隔を置いて、前記天板及び底板と平行になるように形成されており、一方、前記中蓋が、弓なり状に弾性変形可能に構成されているとともに、前記中蓋の相対する土手部の両端部付近には、それぞれ、前記土手部の外側に水平方向に延在する係合ブロックが形成されており、且つ、前記係合ブロックの先端には、上方に延在する嵌合突起が形成されているとともに、前記係合ブロックには、前記土手部方向に下方に傾斜して延在する弾性片が形成されており、前記中蓋に形成された係合ブロックを、前記コンテナー本体に形成された係止板間に挿入した際には、前記係合ブロックの嵌合突起が、上に位置する係止板に穿設された係合孔に挿入されるとともに、前記係合ブロックに形成された弾性片の先端が、下に位置する係止板に当接するように構成されていることを特徴とするコンテナー。
【発明の詳細な説明】
【０００１】
【発明の属する技術分野】
本発明は、収容された物品が上下方向に大きく移動することを防止するための中蓋が、取り外し可能に取り付けられたコンテナーに関するものである。
【０００２】
【従来の技術】
従来、コンテナーに収容された物品の量に応じて、上下方向の位置が調整可能な中蓋が、物品の上部に接近して配置されるように構成されたコンテナーが知られており、中蓋に形成された突片を、コンテナーの側壁に形成された凹部に挿入することにより、中蓋が、取り外し自在に、コンテナーに取り付けられている（例えば、実公昭５８−４６０３０号公報、実公昭６３−６０３０号公報、実公平２−４８３５６号公報等）。
【０００３】
【発明が解決しようとする課題】
従来のコンテナーは、運搬時のコンテナーの揺れに起因するコンテナーに収容された物品の上下方向の移動により、物品が中蓋に当接し、中蓋が上下方向に移動し、最悪の場合には、中蓋に形成された突片が、コンテナーの側壁に形成された凹部から外れて、中蓋がその機能を果たさなくなるという問題がある。
【０００４】
本発明の目的は、上述した従来の中蓋が取り外し可能に配置されたコンテナーが有する課題を解決することにある。
【０００５】
【課題を解決するための手段】
本発明は、上述した目的を達成するために、コンテナー本体と上下方向に位置が調整可能な中蓋とを有するコンテナーにおいて、コンテナー本体の相対する側壁には、それぞれ、所定の間隔を置いて一対の縦長スリットが形成されているとともに、前記縦長スリットが、前記側壁の外壁面に形成された縦長ケースにより覆われるように構成されており、また、前記縦長ケースを構成する天板と底板との間には、係止孔を有する複数の係止板が、所定の間隔を置いて、前記天板及び底板と平行になるように形成されており、一方、前記中蓋が、弓なり状に弾性変形可能に構成されているとともに、前記中蓋の相対する土手部の両端部付近には、それぞれ、前記土手部の外側に水平方向に延在する係合ブロックが形成されており、且つ、前記係合ブロックの先端には、上方に延在する嵌合突起が形成されているとともに、前記係合ブロックには、前記土手部方向に下方に傾斜して延在する弾性片が形成されており、前記中蓋に形成された係合ブロックを、前記コンテナー本体に形成された係止板間に挿入した際には、前記係合ブロックの嵌合突起が、上に位置する係止板に穿設された係合孔に挿入されるとともに、前記係合ブロックに形成された弾性片の先端が、下に位置する係止板に当接するように構成したものである。
【０００６】
【実施例】
以下に、本発明の実施例について説明するが、本発明の趣旨を越えない限り何ら、本実施例に限定されるものではない。
【０００７】
Ｃは、コンテナー本体であり、コンテナー本体Ｃは、底部１と側壁２とから構成されている。相対する一方の側壁２には、それぞれ、横方向に所定の間隔を置いて、一対の縦長スリット３が形成されており、縦長スリット３は、側壁２の外壁面２ａに形成された縦長ケース４により覆われている。縦長ケース４は、縦長スリット３を囲むように形成された、側壁２の外壁面２ａに対して略垂直な一対の垂直壁４ａと、垂直壁４ａの先端部を連結する、側壁２に平行な連結壁４ｂと、垂直壁４ａの上端を連結する天板４ｃと、垂直壁４ａの下端を連結する底板４ｄとを有しており、更に、天板４ｃと底板４ｄとの間には、所定の間隔で係止板４ｅが、適当数、形成されている。係止板４ｅには、係合孔４ｆが形成されており、本実施例においては、天板４ｃにも、係合孔４ｆが形成されている。
【０００８】
Ｌは、コンテナー本体Ｃに挿入可能な中蓋であり、中蓋Ｌは、額縁状の外枠土手部１０ａと外枠土手部１０ａ内に位置する底板１０ｂからなる蓋部１０を有しており、蓋部１０の中央部に形成された、平面形状が略方形状の中央土手部１１内には、底板１０ｂから上方に延在する持ち手枠１２が形成されている。１０ｃは、外枠土手部１０ａを構成する相対する一方の土手部１０ａ１を連結する連結土手部であり、持ち手枠１２を、手で握ることにより、中蓋Ｌを持つことができるように構成されている。
【０００９】
１３は、外枠土手部１０ａを構成するもう一方の相対する土手部１０ａ２の両端部付近で、且つ、外枠土手部１０ａの外側に水平方向に延在する係合ブロックであり、上述したコンテナー本体Ｃの相対する一方の側壁２に形成された縦長スリット３に挿入可能な幅を有している。係合ブロック１３の先端には、上方に延在する嵌合突起１３ａが形成されており、また、係合ブロック１３には、外枠土手部１０ａを構成するもう一方の相対する土手部１０ａ２方向に下方に傾斜して延在する弾性片１３ｂが形成されている。係合ブロック１３の上面（嵌合突起１３ａが突設されている面）１３ｃから、弾性片１３ｂの先端１３ｂ１までの垂直方向の高さＨ１は、コンテナー本体Ｃの相対する一方の側壁２に形成された縦長ケース４内に配置された係止板４ｅ間の間隔Ｈ２と同じか、それより大きく構成されている。なお、本実施例においては、中蓋Ｌの重量を軽減するとともに、原料の節約のために、係合ブロック１３には、縦方向に透孔１３ｄが形成されている。
【００１０】
上述した構成を有する中蓋Ｌは、合成樹脂で一体成形されており、外枠土手部１０ａと底板１０ｂからなる蓋部１０は、作業者が、弓なり状に変形可能なように、適当な弾性を有するように構成されている。
【００１１】
上述したような構成を有する中蓋Ｌを、コンテナー本体Ｃに取り付けるには、図４に二点鎖線で示されているように、係合ブロック１３が形成されていない、中蓋Ｌの外枠土手部１０ａの相対する一方の土手部１０ａ１及び底板１０ｂを、弓なり状に湾曲させた状態で、中蓋Ｌを、コンテナー本体Ｃ内に挿入し、その後、中蓋Ｌの外枠土手部１０ａを構成する、もう一方の相対する土手部１０ａ２の両端部付近に形成された一対の係合ブロック１３を、コンテナー本体Ｃに形成された適当な係止板４ｅ間に位置する縦長スリット３に、弓なり状に湾曲された中蓋Ｌを、その弾力により、水平状に戻すことにより、挿入するとともに、係合ブロック１３の嵌合突起１３ａを、上方に位置する係止板４ｅ或いは天板４ｃに穿設された係合孔４ｆに挿入する。
【００１２】
上述したように、中蓋Ｌに形成された係合ブロック１３の嵌合突起１３ａを、コンテナー本体Ｃに形成された適当な係止板４ｅ間に挿入し、係合ブロック１３の嵌合突起１３ａを、上に位置する係止板４ｅ或いは天板４ｃに穿設された係合孔４ｆに挿入した際には、上述したように、係合ブロック１３の上面（嵌合突起１３ａが突設されている面）１３ｃから、弾性片１３ｂの先端１３ｂ１までの垂直方向の高さＨ１が、コンテナー本体Ｃの相対する一方の側壁２に形成された縦長ケース４内に配置された係止板４ｅ間の間隔Ｈ２と同じか、それより大きく構成されているので、弾性片１３ｂの先端１３ｂ１が、下に位置する係止板４ｅに当接し、弾性片１３ｂの弾性により、係合ブロック１３の嵌合突起１３ａが、コンテナー本体Ｃに形成された係止板４ｅ或いは天板４ｃに穿設された係合孔４ｆから、簡単には抜け出るようなことはなく、従って、運搬時のコンテナー本体Ｃの揺れに起因して、中蓋Ｌが、コンテナー本体Ｃから外れるようなことが防止できる。
【００１３】
コンテナー本体Ｃから中蓋Ｌを取り外すには、中蓋Ｌの係合ブロック１３に形成された弾性片１３ｂの弾性に抗して、一旦、中蓋Ｌを下方に下げて、嵌合突起１３ａを、係止板４ｅ或いは天板４ｃに穿設された係合孔４ｆから排出させ、その後、図４に二点鎖線で示されているように、中蓋Ｌを、弓なり状に湾曲させて、係合ブロック１３を、コンテナー本体Ｃに形成された適当な係止板４ｅ間に位置する縦長スリット３から排出し、この状態で、中蓋Ｌを、上方に持ち上げることにより、コンテナー本体Ｃから中蓋Ｌを取り外すことができる。
【００１４】
上述したように、本発明の中蓋Ｌは、従来の中蓋のように、単に、中蓋を上方に持ち上げただけでは、中蓋Ｌの係合ブロック１３に形成された嵌合突起１３ａが、コンテナー本体Ｃに形成された係止板４ｅ或いは天板４ｃに穿設された係合孔４ｆに引っ掛かって排出できないので、中蓋Ｌが、コンテナー本体Ｃに収容された物品の簡易な盗難防止機能を有することになる。
【００１５】
上述した実施例には、コンテナー本体Ｃに形成された係止板４ｅが、縦長ケース４内に配置されている例が示されているが、縦長ケース４を省略し、縦長スリット３の両側に位置する側壁２の垂直端を架橋するように、係止板４ｅを形成することもできる。また、相対する側壁２の内壁面から、コンテナー本体Ｃ内に水平方向に延在させることにより、係止板４ｅを形成することもできる。この場合には、中蓋Ｌが、コンテナー本体Ｃ内に延在する係止板４ｅに当接しないように、中蓋Ｌを構成する蓋部１０を、適宜、小さく形成して、中蓋Ｌに形成された係合ブロック１３が、コンテナー本体Ｃ内に延在する係止板４ｅ間に配置可能なように構成する。
【００１６】
また、上述した実施例には、コンテナー本体Ｃが、折り畳み不可能なものに形成されているが、コンテナー本体Ｃを、公知のような種々の折り畳み可能なものとすることもできる。
【００１７】
【発明の効果】
本発明は、以上説明した構成を有しているので、以下に記載する効果を奏するものである。
【００１８】
コンテナー本体の相対する側壁に、係合孔を有する係止板を形成するとともに、中蓋に形成された係合ブロックには、上に位置する係止板の係合孔に挿入可能な嵌合突起及び下に位置する係止板に当接可能な弾性片を形成したので、運搬時のコンテナー本体の揺れに起因して、中蓋が、コンテナー本体から外れるようなことが、確実に防止できる。
【００１９】
また、本発明の中蓋は、従来の中蓋のように、単に、中蓋を上方に持ち上げただけでは、中蓋の係合ブロックに形成された嵌合突起が、コンテナー本体に形成された係止板に穿設された係合孔に引っ掛かって排出できないので、中蓋が、コンテナー本体に収容された物品の簡易な盗難防止機能を有する。
【図面の簡単な説明】
【図１】図１はコンテナー本体と中蓋からなる本発明のコンテナーの斜視図である。
【図２】図２はコンテナー本体に中蓋が配置された状態の本発明のコンテナーの部分垂直断面図である。
【図３】図３は本発明のコンテナーを構成する中蓋の部分斜視図である。
【図４】図４はコンテナー本体に中蓋が配置された状態の本発明のコンテナーの垂直断面図である。
【符号の説明】
Ｃ・・・・・・・・・・・・コンテナー本体
Ｌ・・・・・・・・・・・・中蓋
２・・・・・・・・・・・・側壁
４ｅ・・・・・・・・・・・係止板
４ｆ・・・・・・・・・・・係合孔
１３・・・・・・・・・・・係合ブロック
１３ａ・・・・・・・・・・嵌合突起
１３ｂ・・・・・・・・・・弾性片
【図１】
0004350887.tif 000002
【図２】
0004350887.tif 000003
【図３】
0004350887.tif 000004
【図４】
0004350887.tif 000005